(57)【要約】【課題】  オープンラック型気化装置にいて、熱交換パネルの表面に熱媒体を供給するトラフの、長手方向における偏流を簡単な構造で長期間、効果的に抑制する。【解決手段】  トラフ本体１０の側壁１１，１１の内側に外側仕切り壁２０，２０を設け、その更に内側に内側仕切り壁３０，３０を設ける。外側仕切り壁２０，２０は、トラフ本体１０の底板１３との間に隙間を形成する。内側仕切り壁３０，３０は両側の外側仕切り壁２０，２０より低く、トラフ本体１０の底板１３と接する。【選択図】  図１
2010038363.tif 000002
【特許請求の範囲】
【請求項１】
複数の伝熱管がパネル状に配列された熱交換パネルの上部両側に配設されたトラフから熱媒体をパネルの両面に沿って流下させることにより前記伝熱管内を通過する液化ガスを気化させるオープンラック式気化装置の散水機構において、前記パネル側に配置されたトラフ側壁の内側に、外側仕切り壁が前記トラフの底面との間に隙間をあけると共にトラフ長手方向の全部又は一部にわたって設けられ、前記外側仕切り壁の更に内側に、内側仕切り壁が前記トラフの底面に接すると共にトラフ長手方向の全部又は一部にわたって設けられていることを特徴とするオープンラック型気化装置の散水機構。
【請求項２】
請求項１に記載のオープンラック型気化装置の散水機構において、外側仕切り壁とトラフ底面との間隔、又は内側仕切り壁の高さ、若しくはこれらの両方が調整可能であるオープンラック型気化装置の散水機構。
【請求項３】
請求項２に記載のオープンラック型気化装置の散水機構において、外側仕切り壁とトラフ底面との間隔、又は内側仕切り壁の高さ、若しくはこれらの両方が、トラフ長手方向において部分単位の調整が可能であるオープンラック型気化装置の散水機構。
【発明の詳細な説明】
【技術分野】
【０００１】
本発明は、液化天然ガス（以下「ＬＮＧ」という）、その他の低温液化ガスの気化に使用されるオープンラック型気化装置の散水機構に関し、更に詳しくは、トラフにおける偏流抑制を図ったオープンラック型気化装置の散水機構に関する。
【背景技術】
【０００２】
オープンラック型気化装置は、多数の伝熱管がパネル状に配列された熱交換パネルの両面を外側から熱媒体により加熱して、伝熱管内を通過する低温の液化ガスを気化する熱交換器の一種であり、従来からＬＮＧの気化に多用されている。ここにおける熱媒体としては海水が多用され、熱交換パネルの上部両側に設けられたトラフから熱交換パネルの両面に海水等の熱媒体を供給する。
【０００３】
オープンラック型気化装置の一般的な構造を図５（ａ）（ｂ）に示す。垂直な熱交換パネル１は多数本の伝熱管２をパネル状に連結して構成されている。個々の伝熱管２は熱交換効率を高めるためにフィン付き管とされている。熱交換パネル１の最下部は水平な下部ヘッダー３と接続されており、最上部は水平な上部ヘッダー４と接続されている。
【０００４】
このような熱交換パネル１は所定間隔で多数並列配置されている。各熱交換パネル１の上部両側には、パネル両面に熱媒体を供給するために角樋状のトラフ５，５が配置されている各トラフ５は両端部が閉塞された長尺の箱であり、トラフに接続された供給管６からトラフ内に海水等の熱媒体を供給される。
【０００５】
ＬＮＧは下部ヘッダー３から熱交換パネル１内に流入する。一方、熱媒体は両側のトラフ５内に供給され、トラフ５の両側に溢れ出することにより、熱交換パネル１の両面に液膜を形成しつつ下方へ流下し、その両面を加熱する。これにより、熱交換パネル１内を上昇するＬＮＧが、その上昇過程で気化し、上部ヘッダー４から天然ガス（ＮＧ）として取り出される。トラフ５の両側の側壁７，７の最上部は、熱交換パネル１の表面への熱媒体の効率的な供給のために外側へ且つ下向きに傾斜しており、この部分はトラフエッジ８，８と呼ばれている。
【０００６】
このようなオープンラック型気化装置では、熱交換パネル１を横幅方向で均一に加熱するため、トラフ５から両側への溢流量をトラフ長手方向で均一に管理することが必要である。一方、近年の天然ガス需要の高まりとオープンラック型気化装置の設置スペースの制約とにより、オープンラック型気化装置１基当たりのガス発生量は増加傾向となり、低温の液化ガスを完全に気化させるだけの熱交換量を確保するためには熱媒体の量も増やす必要がある。このため、トラフ５内へ大量に供給された熱媒体は、激しい乱れを伴いながら長手方向に流動拡散し、トラフ５の両側へ溢れ出る。その結果、トラフ５から溢れ出る熱媒体にトラフ長手方向の流動成分が多く残り、溢流量のトラフ長手方向の不均一が避けられない。
【０００７】
トラフ長手方向における溢流量の不均一は偏流と呼ばれ、オープンラック型気化装置における大きな問題の一つとされている（特許文献１）。すなわち、偏流が顕著であると、局部的に溢流量の少ないところが発生し、ここで熱交換量が不足し、低温の液化ガスを完全に気化できないままガスを供給してしまうことになる。つまり、偏流率の−（マイナス）側の増大が問題になる。
【０００８】
オープンラック型気化装置おける偏流の問題を解決するために様々な対策が考えられているが、その一つとして、図６（ａ）（ｂ）に示すように、トラフ５の両側壁７，７の内側に仕切り壁９，９を設けることは、以前より実施されている（特許文献２）。仕切り壁９、９はトラフ５の両側壁７，７より高く、トラフ５の中央部底面に開口する噴出口６’の外側に、その底面との間に隙間をあけて設置されている。噴出口６’からトラフ５内へ供給された熱媒体は、一旦、仕切り壁９、９間で流れの乱れが抑制され、しかる後に仕切り壁９，９とトラフ底面との隙間を通って、仕切り壁９、９と両側壁７，７との間に下から流入し、この間を上昇して両側壁７，７の外側へ溢れ出る。
【０００９】
仕切り壁９、９間への一時的な滞留や流路長の増大、流動抵抗の増大により、トラフエッジ８，８から熱媒体が溢れ出る頃にはトラフ長手方向の流動成分は小さくなり、偏流は抑制される。しかしながら、長手方向の流動成分が完全になくなるわけではなく、その結果、図６（ａ）に示すように、熱媒体はトラフエッジ８，８上で様々な方向の長手方向の流動成分を残しながら、熱交換パネル１の表面に供給される。そして、トラフエッジ８，８上で流れが集合する箇所〔図６（ａ）中のＸ〕では溢流量が増加傾向となり、反対に流れが拡散する箇所〔図６（ａ）中のＹ〕では溢流量が減少傾向となり、結果として、偏流の問題は残ることになる。
【００１０】
トラフ５の仕切り壁９、９からトラフ５の底面までの隙間を小さくし、流動抵抗を大きくすることにより、長手方向の流動成分は減少し、偏流は効果的に抑制される。しかし、熱媒体として海水が一般に使用されるため、これらの隙間を小さくすると、貝類などの海中生息物の付着による流通障害が問題になる。
【先行技術文献】
【特許文献】
【００１１】
【特許文献１】特開平７−２０８８８１公報
【特許文献２】実公昭６２−４６９５８公報
【発明の概要】
【発明が解決しようとする課題】
【００１２】
本発明の目的は、トラフ長手方向の偏流を、メンテナンス等の点から設置や分解が容易な構造で長期間、効果的に抑制できる熱交換性能に優れたオープンラック型気化装置の散水機構を提供することにある。
【課題を解決するための手段】
【００１３】
上記目的を達成するために、本発明のオープンラック型気化装置の散水機構は、複数の伝熱管がパネル状に配列された熱交換パネルの上部両側に配設されたトラフから熱媒体をパネルの両面に沿って流下させることにより前記伝熱管内を通過する液化ガスを気化させるオープンラック式気化装置の散水機構において、前記パネル側に配置されたトラフ側壁の内側に、外側仕切り壁が前記トラフの底面との間に隙間をあけると共にトラフ長手方向の全部又は一部にわたって設けられ、前記外側仕切り壁の更に内側に、内側仕切り壁が前記トラフの底面に接すると共にトラフ長手方向の全部又は一部にわたって設けられていることを構成上の特徴点とする。
【００１４】
本発明のオープンラック型気化装置の散水機構においては、外側仕切り壁及び内側仕切り壁は、トラフ長手方向の全域又は一部に設けられる。外側仕切り壁及び内側仕切り壁の両方が設けられた箇所では、トラフ内に導入された熱媒体が、内側仕切り壁上をオーバーフローして内側仕切り壁と外側仕切り壁との間に流入し、この間を流下した後、外側仕切り壁の下の隙間から外側仕切り壁とトラフ側壁との間に流入し、ここを上昇してトラフの外側（熱交換パネル側）に溢出し、熱交換パネルの表面に沿って流下する。
【００１５】
内側仕切り壁の内側では、トラフ内に導入された熱媒体の乱れた流れがトラフ長手方向へと整流される。内側仕切り壁と外側仕切り壁との間、及び外側仕切り壁とトラフ側壁との間を経由することにより、熱媒体噴出口からトラフエッジまでの流路長が増大する。内側仕切り壁と外側仕切り壁との間では、熱媒体が流下するため、鉛直方向の強い流れが形成される。これらにより、トラフ長手方向の流動成分は弱まり、偏流が抑制される。トラフの熱媒体噴出口は、通常はトラフの底板における外側仕切り壁の内側、又は内側仕切り壁の内側に設けられる。トラフの天板や端板に設けられることもあるが、周辺に障害物がなければ、トラフの底板に設けられるのが一般的である。
【００１６】
偏流抑制の観点から、外側仕切り壁及び内側仕切り壁は、共に、トラフの全長にわたって設けるのがよい。熱媒体噴出口との干渉等のために、内側仕切り壁を噴出口の近傍等で部分的に省略することは可能である。同様に、外側仕切り壁についても、構造的な制約等から、トラフ長手方向の一部で部分的に省略することが可能である。外側仕切り壁、或いは内側仕切り壁を、トラフ長手方向の一部で部分的に省略しても、外側仕切り壁及び内側仕切り壁の両方が存在する箇所で、前述した二重仕切り壁による偏流抑制機能が得られることにより、偏流は抑制される。
【００１７】
偏流抑制の観点から、内側仕切り壁はその高さが、外側仕切り壁はトラフ底面までの隙間の大きさが、それぞれ調整可能な構成が好ましい。これらの一方又は両方を調節することにより、偏流抑制効果の向上が可能になり、両方を調整する方が偏流抑制効果はより向上する。
【００１８】
内側仕切り壁の高さ、外側仕切り壁からトラフ底面までの隙間は、いずれについてもトラフ長手方向において部分単位の調整をすることが可能であり、これにより、偏流抑制効果をより高めることができる。
【００１９】
なお、トラフ側壁と外側仕切り壁との間隔、外側仕切り壁とトラフ底面との隙間、外側仕切り壁と内側仕切り壁との間隔は、貝類等の海中生息物の付着による流通障害抑制の観点から、いずれも５０ｍｍ以上の範囲内で調整するのが好ましい。これらの間隔を５０ｍｍ以上と大きくしても、前述した二重仕切り壁による複合作用により偏流は十分に抑制される。熱媒体に工業用水等を用いて流通障害物が生じない場合は、これらの間隔は際限なく小さくでき、偏流は更に抑制される。内側仕切り壁の高さも調整可能とすることで、一対の内側仕切り壁間からの溢流量の調整が可能となり、偏流がより効果的に抑制されることは前述したとおりである。
【００２０】
これらの間隔の上限については大きすぎると流通抵抗が小さくなると共に、流路長が短くなり、また仕切り壁を設けるに当たってのトラフ内における設計的な制約が大となる。この観点から１５０ｍｍ以下の範囲内で調整するのが好ましい。
【００２１】
熱交換パネルは、通常は複数枚が並列配置される。隣接するパネル間に配置されるトラフでは、両側の側壁がパネル側となり、その結果として、両側の側壁の内側に一対の外側仕切り壁が設けられ、一対の外側仕切り壁の更に内側に一対の内側仕切り壁が設けられることになる。熱交換パネルの並列枚数は多いので、多くのトラフがこの構成を採用する。両端のトラフでは片側の側壁のみがパネル側となる。この場合、熱交換パネルとは反対側の側壁は、通常は益流をさせないためにパネル側の側壁より高く設計され、その内側に外側仕切り壁や内側仕切り壁が設けられることはない。
【発明の効果】
【００２２】
本発明のオープンラック型気化装置は、トラフ側壁の内側に外側仕切り壁を設けると共に、その更に内側に内側仕切り壁を設け、外側仕切り壁と内側仕切り壁との間で熱媒体を流下させ、トラフ側壁と外側仕切り壁との間で熱媒体が上昇するように両仕切り壁を構成することにより、トラフ側壁と仕切り壁との間隔、仕切り壁とトラフ底面との隙間を小さくせずに偏流を抑制することができる。したがって、長期間安定して高度の偏流抑制効果を享受でき、優れた気化性能を安定的に発揮し得る。また、両仕切り壁とも設置や分解が容易なため、メンテナンス性に優れる。
【図面の簡単な説明】
【００２３】
【図１】（ａ）（ｂ）は本発明の一実施形態を示すオープンラック型気化装置の散水機構であるトラフの構造説明図で、（ａ）は平面図、（ｂ）は図（ａ）中のＡ−Ａ線断面矢示図である。
【図２】（ａ）（ｂ）は外側仕切り壁の構造説明図で、（ａ）は平面図、（ｂ）は縦断側面図である。
【図３】内側仕切り壁の取付け構造の説明図で、図１（ａ）中のＢ−Ｂ線断面矢示図である。
【図４】（ａ）（ｂ）はトラフ長手方向における偏流率の分布を、比較例及び本発明例について示すグラフであり、（ａ）は比較例、（ｂ）は本発明例を示す。
【図５】（ａ）（ｂ）はオープンラック型気化装置の一般的な構造の説明図で、（ａ）は側面図、（ｂ）は図（ａ）中のＣ−Ｃ線断面矢示図である。
【図６】（ａ）（ｂ）は従来のオープンラック型気化装置に装備されるトラフの構造説明図で、（ａ）は平面図、（ｂ）は図（ａ）中のＤ−Ｄ線断面矢示図である。
【発明を実施するための形態】
【００２４】
以下に本発明の実施形態を図面に基づいて説明する。
【００２５】
本実施形態のオープンラック型気化装置の全体構造は、図６（ａ）（ｂ）に示した従来の気化装置と実質的に同一である。図６（ａ）（ｂ）に示した従来の気化装置に偏流抑制機能を持たせるのは、熱交換パネル１の上部両側に設けられるトラフ５である。
【００２６】
本実施形態のオープンラック型気化装置に使用されるトラフ５は、図１（ａ）（ｂ）に示すように、熱交換パネルの横幅方向全長にわたって設けられる樋状のトラフ本体１０と、トラフ本体１０の両側の側壁１１，１１の内側に所定の隙間をあけて設けられた一対の外側仕切り壁２０，２０と、外側仕切り壁２０，２０の更に内側に隙間をあけて設けられた一対の内側仕切り壁３０，３０とを備えている。
【００２７】
トラフ本体１０は、長手方向両端にその両端を閉じる端板１２，１２を有し、底板１３の長手方向中央部に、熱媒体である海水を導入するための噴出口１４を有している。噴出口１４は、トラフ本体１０の横幅より若干小さい円形の開口部である。側壁１１，１１の上端部は外側へ向かって下降傾斜したトラフエッジ１５，１５である。
【００２８】
一対の外側仕切り壁２０，２０は、トラフ本体１０の側壁１１，１１に平行な垂直板であり、底板１３の噴出口１４の外側にトラフ本体１０の全長にわたって設けられている。各外側仕切り壁２０は、トラフ本体１０の側壁１１より十分に高く、底板１３との間に所定の隙間を形成している。この外側仕切り壁２０は、トラフ長手方向において分割された複数の可動仕切り板２１からなる。個々の可動仕切り板２１は、図２（ａ）（ｂ）に示すように、両側の支柱２２，２２の対向面に設けられた縦溝２３，２３に挿入されることにより支持されており、可動仕切り板２１の下方に位置して縦溝２３，２３に挿入されるスペーサー２４，２４の高さにより、底板１３との間の隙間の大きさが可動仕切り板２１毎に調節可能となっている。
【００２９】
そして、この隙間の大きさは、ここでは側壁１１との間隔と共に５０ｍｍ以上に設定されると共に、トラフ本体１０の長手方向中央部より両端部で大とされている。なお、スペーサー２４，２４はここでは仕切り板２１から分離しているが、仕切り板２１に一体化されていてもよい。
【００３０】
一対の内側仕切り壁３０，３０は、外側仕切り壁２０，２０に平行な垂直板であり、底板１３の噴出口１４との干渉を回避するために、噴出口１４の近傍（トラフ本体１０の長手方向中央部）を除く領域に分かれて設けられている。各内側仕切り壁３０は、トラフ本体１０の底板１３に接しており、高さは外側の外側仕切り壁２０より低く、ここではトラフ本体１０の側壁１１より更に低く設定されている。この内側仕切り壁３０は、外側仕切り壁２０との間に所定の間隔をあけて外側仕切り壁２０にボルト３１により脱着可能に取付けられている。内側仕切り壁３０の交換によりその高さは任意に調整される。外側仕切り壁２０との間隔は、外側仕切り壁２０からトラフ側壁１１までの距離や底板１３までの距離と同様に５０ｍｍ以上に設定されている。
【００３１】
内側仕切り壁３０の端板１２側の端部は端板１２に接している。内側仕切り壁３０の中央部側では、外側仕切り壁２０と内側仕切り壁３０との隙間が閉止板４０により閉止されている。この閉止により、外側仕切り壁２０と内側仕切り壁３０との隙間への、熱媒体の横から流入が阻止される。
【００３２】
本実施形態のオープンラック型気化装置の散水機構の機能は以下のとおりである。
【００３３】
熱交換パネルの上部両側に設けられるトラフ５として、図１（ａ）（ｂ）に示す構造のものが使用されている。このトラフ５においては、トラフ本体１０の底板１３の中央部に設けられた噴出口１４から、熱媒体である海水が激しい乱流を伴いながらトラフ本体１０内に流入する。トラフ本体１０内に流入した熱媒体は激しい乱流を伴いながら長手方向両側に広がり、トラフ本体１０内を満たす。
【００３４】
トラフ本体１０内の中央部においては、熱媒体は長手方向両側に広がりつつ、一対の外側仕切り壁２０，２０間に直接流入し、トラフ本体１０の底板１３との隙間を通ってトラフ本体１０の側壁１１と外側仕切り壁２０との間に下から流入し、この間を上昇しトラフエッジ１５に導かれてトラフ本体１０の外側に溢れ出る。外側仕切り壁２０，２０間に一旦流入すること、トラフ本体１０の側壁１１と外側仕切り壁２０との間を経由することにより、熱媒体流れの長手方向成分が減少することは、図６（ａ）（ｂ）を参照して説明したとおりである。
【００３５】
トラフ本体１０内の中央部を除く部分においては、熱媒体は長手方向両側に広がりつつ、一対の内側仕切り壁３０，３０間に一旦流入し、その後、内側仕切り壁３０，３０間から溢れ出て外側仕切り壁２０と内側仕切り壁３０との間に流入し、この間を重力も加わって流下する。その後は、中央部と同様に、外側仕切り壁２０とトラフ本体１０の底板１３との隙間を通って外側仕切り壁２０とトラフ本体１０の側壁１１との間に下から流入し、この間を上昇しトラフエッジ１５に導かれてトラフ本体１０の外側に溢れ出る。
【００３６】
一対の内側仕切り壁３０，３０間では、熱媒体の乱れた流れがトラフ長手方向へ整流される。その後、内側仕切り壁３０と外側仕切り壁３０との間、及び外側仕切り壁２０とトラフ本体１０の側壁１１との間を経由することにより、熱媒体噴出口１４からトラフエッジ１５までの流路長が増大する。内側仕切り壁３０と外側仕切り壁２０との間では、熱媒体が流下するため、鉛直方向の強い流れが形成される。これらにより、トラフ本体１０内の中央部を除く部分においては、熱媒体のトラフ長手方向の流れは弱まり、トラフエッジ１５では、その流れは殆どがトラフ長手方向に直角な流動成分となる。
【００３７】
かくして、本実施形態のオープンラック型気化装置の散水機構においては、トラフ５における偏流が顕著に抑制され、熱交換パネルの横幅方向で均一な加熱が行われる。すなわち、トラフ本体１０の長手方向中央部では仕切り壁が一重に設けられているが、それ以外の部分では二重仕切り壁構造が採用され、この部分で偏流が顕著に抑制される結果、長手方向全体としても偏流が顕著に抑制される。外側仕切り壁２０と底板１３との隙間の大きさがトラフ本体１０の長手方向中央部より両端部で大とされていることが、この偏流抑制に寄与していることは言うまでもない。また、その偏流抑制のために、この隙間の大きさが仕切り板２１ごとに微調整され、内側仕切り壁３０の高さも調整されていることは言うまでもない。
【００３８】
内側仕切り壁３０は、ここではトラフ長手方向で均一な高さとなっているが、外側仕切り壁２０と同様にトラフ長手方向で複数の仕切り板に分割し、高さの異なる仕切り板を組合せる手法などにより、その高さをトラフ長手方向で独立に調整し不均一とすることも可能である。
【実施例】
【００３９】
図１〜図３に示すオープンラック型気化装置を使用して本発明の効果を確認した。トラフの寸法は、全長が約４５００ｍｍ、幅が約４５０ｍｍ、高さが約８００ｍｍである。まず比較のために、外側仕切り壁のみを設けた（内側仕切り壁を排除した）。外側仕切り壁はトラフ全長にわたって設けられ、高さは約１０００ｍｍ、トラフ側壁との間隔は約６０ｍｍ、トラフ底板との隙間の大きさは、仕切り板ごとに調整を繰り返して６０〜１００ｍｍとし、中央部で小さく両端部で大きくした。
【００４０】
これに対し、本発明例では、前記外側仕切り壁の内側に更に内側仕切り壁を設けた。熱媒体噴出口との干渉を回避するために、中央部の約１５００ｍｍの領域では内側仕切り壁を省略した。外側仕切り壁とトラフ底板との間隔は、仕切り板ごとの再調整の結果、比較例と同じ６０〜１００ｍｍとし、中央部で小さく両端部で大きくした。内側仕切り壁の高さは、複数種類の仕切り壁を付け替えて調整を行った結果、約７００ｍｍ（トラフ長手方向において一定）とした。また、外側仕切り壁との間隔は約６０ｍｍとした。
【００４１】
熱媒体である海水をトラフ内に約５００ｍ3 ／ｈの流量で供給したときの偏流率を、トラフ長手方向について調査した。結果を図４（ａ）（ｂ）に示す。
【００４２】
外側仕切り壁も内側仕切り壁も設けない場合、−（マイナス）側の偏流率は最大で５０％に達する。このような−（マイナス）側の偏流率の大きな箇所では、熱交換パネルの表面が凍結するおそれがある。外側仕切り壁のみを設けた比較例では、図４（ａ）に示すように、底板までの隙間の大きさの調整操作もあって、偏流は相当に緩和されるが、それでも−（マイナス）側の偏流率は２０％程度もある。これに対し、外側仕切り壁及び内側仕切り壁を設けた本発明例では、図４（ｂ）に示すように、トラフ長手方向中央部で内側仕切り壁を省略しているにもかかわらず、−（マイナス）側の偏流率は１０％以下に抑制される。
【００４３】
トラフの両側壁の内側に外側仕切り壁及び内側仕切り壁を配置し、両仕切り壁間で下降流を形成する本発明の構成の偏流抑制に対する効果は顕著である。
【符号の説明】
【００４４】
１０  トラフ本体
１１  側壁
１２  端板
１３  底板
１４  噴出口
１５  トラフエッジ
２０  外側仕切り壁
２１  仕切り板
２２  支柱
２３  縦溝
２４  スペーサー
３０  内側仕切り壁
４０  閉止板
【図１】
2010038363.tif 000003
【図２】
2010038363.tif 000004
【図３】
2010038363.tif 000005
【図４】
2010038363.tif 000006
【図５】
2010038363.tif 000007
【図６】
2010038363.tif 000008